【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】  クライアント・コンピュータと、電子メール・クライアント・プログラムと、電子メール・サーバとで構成するコンピュータ・データ通信網において、物理的アドレスを有するユーザが電子メールを管理し整理する方法であって、
（ａ）  別名電子メール・サーバを作成するステップと、
（ｂ）  前記物理的電子メール・アドレスを前記ユーザがクライアント管理プログラムに入力するステップと、
（ｃ）  識別情報を前記ユーザが前記クライアント管理プログラムに入力するステップと、
（ｄ）  別名電子メール・アドレスを前記別名電子メール・サーバが生成するステップと、
（ｅ）  別名電子メール・アドレスを前記クライアント管理プログラムが受信するステップと、
（ｆ）  前記別名電子メール・アドレスを受信者に送るステップと、
（ｇ）  前記別名電子メール・サーバが受信者からのメッセージを受信するステップと、
（ｈ）  前記識別情報と共に前記メッセージを前記電子メール・クライアント・プログラムに送るステップと、
を含み、前記受信者には前記物理的電子メール・アドレスが分からない、電子メールを管理し整理する方法。
【請求項２】  クライアント・コンピュータと、ユーザが電子メールを送信および受信する手段と、電子メール・サーバとで構成するコンピュータ・データ通信網において、物理的アドレスを有するユーザが電子メールを管理し整理する方法であって、
（ａ）  別名電子メール・サーバを前記電子メール・サーバに組み込むステップと、
（ｂ）  前記物理的電子メール・アドレスを前記ユーザがクライアント管理プログラムに入力するステップと、
（ｃ）  識別情報を前記ユーザが前記クライアント管理プログラムに入力するステップと、
（ｄ）  別名電子メール・アドレスを前記別名電子メール・サーバが生成するステップと、
（ｅ）  別名電子メール・アドレスを前記クライアント管理プログラムが受信するステップと、
（ｆ）  前記別名電子メール・アドレスを受信者に送るステップと、
（ｇ）  前記識別情報と共に前記メッセージを前記電子メール・クライアント・プログラムに送るステップと、
を含み、前記受信者には前記物理的電子メール・アドレスが分からない、電子メールを管理し整理する方法。
【請求項３】  更に、
（ａ）  前記電子メール・クライアント・プログラムの回答機能を前記ユーザが選択し、
（ｂ）  回答メッセージを前記ユーザが入力し、
（ｃ）  前記ユーザの回答メッセージを前記別名電子メール・サーバに送信し、
（ｄ）  前記ユーザの物理的電子メール・アドレスを識別できそうな全ての情報を前記ユーザの回答メッセージから除去し、
（ｅ）  前記除去された回答メッセージを前記受信者に送信する、
ことを含む、請求項１または２記載の電子メールを管理し整理する方法。
【請求項４】  複数のトランザクションのログを前記クライアント管理プログラムが前記ユーザに表示することを更に含み、前記ログは更に、
（ａ）  各トランザクションの時刻および日付と、
（ｂ）  各トランザクションの前記別名電子メール・アドレスと、
（ｃ）  前記トランザクションの前記識別情報と、
を含み、また更に、複数の分類基準に従って前記ログを分類することを含み、前記基準は更に作成の日付と、受信の日付と、状態と、受信数とを含む、請求項３記載の電子メールを管理し整理する方法。
【請求項５】  前記識別情報は、前記別名電子メール・サーバが前記ユーザに送信した電子メール・メッセージの本体内に送信メッセージ・テキストのブロックを更に含む、請求項４記載の電子メールを管理し整理する方法。
【請求項６】  前記別名電子メール・アドレスの生成は実質的にランダムな文字の生成を更に含む、請求項５記載の電子メールを管理し整理する方法。
【請求項７】  １つまたは複数の追加の物理的電子メール・アドレスを前記クライアント管理プログラムに入力し、また各追加の物理的電子メール・アドレスに対応する追加の別名電子メール・アドレスを受信することを更に含む、請求項６記載の電子メールを管理し整理する方法。
【請求項８】  各物理的アドレスに対応する１つまたは複数の追加の別名アドレスの要求を前記クライアント管理プログラムが入力し、かかる各要求に対応する追加の別名電子メール・アドレスを前記クライアント管理プログラムが受信することを更に含む、請求項７記載の電子メールを管理し整理する方法。
【請求項９】  特定の別名電子メール・アドレス宛ての全ての電子メールを前記別名電子メール・サーバが前記電子メール・クライアント・プログラムに送信することを中止するという要求を前記クライアント管理プログラムが入力することを更に含む、請求項８記載の電子メールを管理し整理する方法。
【請求項１０】  特定の別名電子メール・アドレス宛ての全ての電子メールを前記電子メール・クライアント・プログラムが受信することを永久に停止するという要求を前記クライアント管理プログラムが入力することを更に含む、請求項９記載の電子メールを管理し整理する方法。
【請求項１１】  ユーザ名を含む別名電子メール・アドレスを前記クライアント管理プログラムが生成し、また前記電子メールを前記別名電子メール・サーバで選別することを更に含む、請求項１０記載の電子メールを管理し整理する方法。
【請求項１２】  物理的アドレスを有するユーザがコンピュータ・データ通信網内で電子メールを管理し整理するシステムであって、
（ａ）  別名電子メール・サーバと、
（ｂ）  クライアント管理プログラムと、
（ｃ）  前記物理的電子メール・アドレスを前記クライアント管理プログラムに入力する手段と、
（ｄ）  識別情報を前記クライアント管理プログラムに入力する手段と、
（ｅ）  別名電子メール・アドレスを前記別名電子メール・サーバが生成する手段と、
（ｆ）  別名電子メール・アドレスを前記クライアント管理プログラムが受信する手段と、
（ｇ）  前記電子メール・クライアント・プログラムが前記別名電子メール・アドレスを用いて電子メール・メッセージを受信者に送る手段と、
（ｈ）  前記別名電子メール・サーバが送信したメッセージを前記電子メール・クライアント・プログラムが受信する手段と、
を含み、前記受信者には前記物理的電子メール・アドレスが分からない、電子メールを管理し整理するシステム。
【請求項１３】  物理的アドレスを有するユーザがコンピュータ・データ通信網内で電子メールを管理し整理するシステムであって、
（ａ）  電子メール・サーバに組み込まれた別名電子メール・サーバと、
（ｂ）  前記物理的電子メール・アドレスをユーザが入力する手段と、
（ｃ）  識別情報を前記ユーザが入力する手段と、
（ｄ）  別名電子メール・アドレスを前記別名電子メール・サーバが生成する手段と、
（ｅ）  別名電子メール・アドレスをユーザが受信する手段と、
（ｆ）  前記別名電子メール・アドレスを受信者に送る手段と、
（ｇ）  識別情報と共に前記メッセージを前記電子メール・クライアント・プログラムに送信する手段と、
を含み、前記受信者には前記物理的電子メール・アドレスが分からない、電子メールを管理し整理するシステム。
【請求項１４】  更に、
（ａ）  前記電子メール・クライアント・プログラムの回答機能を前記ユーザが選択する手段と、
（ｂ）  回答メッセージを前記ユーザが入力する手段と、
（ｃ）  前記ユーザの回答メッセージを前記別名電子メール・サーバに送信する手段と、
（ｄ）  前記ユーザの物理的電子メール・アドレスを識別できそうな全ての情報を前記ユーザの回答メッセージから除去する手段と、
（ｅ）  前記除去された回答メッセージを前記受信者に送信する手段と、
を含む、請求項１２または１３記載の電子メールを管理し整理するシステム。
【請求項１５】  複数のトランザクションのログを前記クライアント管理プログラムが前記ユーザに表示する手段を更に含み、前記ログは更に、
（ａ）  各トランザクションの時刻および日付と、
（ｂ）  各トランザクションの前記別名電子メール・アドレスと、
（ｃ）  前記トランザクションの前記識別情報と、
を含み、また複数の分類基準に従って前記ログを分類する手段を含み、前記基準は更に作成の日付と、受信の日付と、状態と、受信数とを更に含む、請求項１５記載の電子メールを管理し整理するシステム。
【請求項１６】  前記別名電子メール・アドレスを生成する手段は実質的にランダムな文字発生器を更に含む、請求項１５記載の電子メールを管理し整理するシステム。
【請求項１７】  １つまたは複数の追加の物理的電子メール・アドレスを前記クライアント管理プログラムに入力する手段と、各追加の物理的電子メール・アドレスに対応する追加の別名電子メール・アドレスを受信する手段とを更に含む、請求項１６記載の電子メールを管理し整理するシステム。
【請求項１８】  各物理的アドレスに対応する１つまたは複数の追加の別名アドレスの要求を前記クライアント管理プログラムが入力する手段と、かかる各要求に対応する追加の別名電子メール・アドレスを前記クライアント管理プログラムが受信する手段とを更に含む、請求項１７記載の電子メールを管理し整理するシステム。
【請求項１９】  特定の別名電子メール・アドレス宛ての全ての電子メールを前記別名電子メール・サーバが前記電子メール・クライアント・プログラムに送信することを中止するという要求を前記クライアント管理プログラムが入力する手段を更に含む、請求項１８記載の電子メールを管理し整理するシステム。
【請求項２０】  特定の別名電子メール・アドレス宛ての全ての電子メールを前記電子メール・クライアント・プログラムが受信することを永久に停止するという要求を前記クライアント管理プログラムが入力する手段を更に含む、請求項１９記載の電子メールを管理し整理するシステム。
【請求項２１】  ユーザ名を含む別名電子メール・アドレスを前記クライアント管理プログラムが生成する手段を更に含み、また前記電子メールを前記別名電子メール・サーバで選別する手段とを更に含む、請求項２０記載の電子メールを管理し整理するシステム。
【手続補正２】
【補正対象書類名】明細書
【補正対象項目名】００１６
【補正方法】変更
【補正の内容】
【００１６】
図２において、本発明は電子メール・クライアント２と電子メール・サーバ６との仲介者として別名電子メール・サーバ１００を用いる。クライアントはまず別名電子メール・サーバと通信し、別名電子メール・サーバはクライアントに新しい特有の別名電子メール・アドレスを割り当てる。クライアントに電子メール・アドレスを要求する電子メール受信者と通信するとき、クライアントはこの別名電子メール・アドレスを用いる。
【手続補正３】
【補正対象書類名】明細書
【補正対象項目名】００１９
【補正方法】変更
【補正の内容】
【００１９】
この図において、クライアントがまずＳＥＴＵＰボタン２２８をクリックして新しいカウントを入力すると、図４に示すＤＩＡＬＯＧ窓が表示される。図４において、ユーザはクライアントが希望する任意のユーザ名をボックス２２０に入力し、またすでに使われている実際の（物理的）電子メール・アドレスをＥＭＡＩＬ  ＡＤＤＲＥＳＳボックス２０２に入力する。誤りを減らすため、ユーザは自分の電子メール・アドレスをボックス２０４に再入力しなければならない。次にユーザはパスワードを作成し、これをボックス２０６に入力し、同じパスワードをボックス２０８に再入力する。ユーザはボックスをチェックオフしてパスワードを保存し、アカウント毎に異なるレベルの保護を与えてよい。次にユーザはＣＲＥＡＴＥ  ＮＥＷ  ＡＣＣＯＵＴボタン２２２をクリックし、図３に示す元のスクリーンに戻る。
【手続補正４】
【補正対象書類名】明細書
【補正対象項目名】００２１
【補正方法】変更
【補正の内容】
【００２１】
このユーザ名に関連する全ての電子メールを識別するためのメッセージをボックス３２６に書き込むことができる。図３に示す例では、このユーザ名に関連する別名サーバから送られる全ての電子メールに、「コンピュータ構成要素専用」というメッセージが表示される。また４つのＴＹＰＥＳ３３４の中から１つを選択する。このＴＹＰＥＳは、ＦＷＤと、ＳＰＡＭと、ＵＲＧＥＮＴと、ユーザがボックス３３２に入力したメッセージを表示するカスタム・タイプとを含む。このＴＹＰＥメッセージは、別名電子メール・サーバが送る全ての電子メールの件名として表示される。
【手続補正５】
【補正対象書類名】明細書
【補正対象項目名】００２７
【補正方法】変更
【補正の内容】
【００２７】
図６では、受信者が送った実際のメッセージ４１８がスクリーンの下部に表示されている。しかし、スクリーンはこのメッセージに関する他の情報を含む。第１に、別名電子メール・アドレス４１０が「To:」ヘッディングの次に表示され、このメッセージは受信者がこの別名電子メール・アドレスに宛てたことを示す。次に、メッセージの「件名］４１２は図３に示すボックス３３２にユーザが入力した「カスタム」ＴＹＰＥ情報である。この件名（この例では「ネット・ショッピング」の後にコロン（：）があり、その後に受信者が入力した件名情報（この場合はテキスト「貴注文」）が続く。
【手続補正６】
【補正対象書類名】明細書
【補正対象項目名】００３１
【補正方法】変更
【補正の内容】
【００３１】
次に送信者の電子メール「ヘッダ」情報の「回答先」部分に特別復帰コードを挿入し、ヘッダのその領域内の全ての他の情報に重ね書きする。SpamMotelの現在の復帰コードはＡＢＣＤ１２３ＥＲ〜spammotel.com（字と数とを混ぜて８文字）の形である。
したがって、ユーザが自分の電子メール・クライアント・プログラムの回答ボタンをクリックすると、回答するために、新しい復帰コードが「to」ヘッダ内に自動的に置かれる。（全ての現在の電子メール・プログラムは現在の電子メール・プロトコルとフォーマットに基づいてこれをこのようにして処理する。）
【手続補正７】
【補正対象書類名】明細書
【補正対象項目名】００３６
【補正方法】変更
【補正の内容】
【００３６】
更にブロック４３０において、図３の参照番号３３４で示したＴＹＰＥパラメータの内容と、図３の参照番号３２６で示したメッセージも表示される。最後に、別名電子メール・アドレス識別コードが表示される。
チェック・ボックス４３４と実行ボタン（中止ボタン４４０、または中止ボタンの実行を取り消す再開ボタン４３８）により、ユーザは別名電子メール・サーバからのメッセージの送信を阻止または中止することを決定する。またユーザは、ＦＩＬＴＥＲボタン４４２をクリックすることにより特定の別名電子メール・アドレスに関連するメッセージを選別することを決定する。これにより図８に示すスクリーンが表示される。
【手続補正８】
【補正対象書類名】明細書
【補正対象項目名】００４６
【補正方法】変更
【補正の内容】
【００４６】
図９に示すように、別名電子メール・アドレスは３つの部分からなる。まず識別コードで、ユーザはこれを作成してボックス４８０内に入力するか、または好ましい実施の形態の場合のようにユーザは擬似ランダムの文字ストリングを要求する。別名電子メール・アドレスの第２の部分は「ダッシュ（-）」文字で、その後にシステム設定の一部としてクライアント管理プログラムに入力したユーザ名が続く。名の「＠」マークに続く第３の部分は別名電子メール・サーバ・アドレスである。
【手続補正９】
【補正対象書類名】図面
【補正対象項目名】図３
【補正方法】変更
【補正の内容】
【図３】
2004517414.tif 000001
【手続補正１０】
【補正対象書類名】図面
【補正対象項目名】図４
【補正方法】変更
【補正の内容】
【図４】
2004517414.tif 000002
【手続補正１１】
【補正対象書類名】図面
【補正対象項目名】図５
【補正方法】変更
【補正の内容】
【図５】
2004517414.tif 000003
【手続補正１２】
【補正対象書類名】図面
【補正対象項目名】図６
【補正方法】変更
【補正の内容】
【図６】
2004517414.tif 000004
【手続補正１３】
【補正対象書類名】図面
【補正対象項目名】図７
【補正方法】変更
【補正の内容】
【図７】
2004517414.tif 000005
【手続補正１４】
【補正対象書類名】図面
【補正対象項目名】図８
【補正方法】変更
【補正の内容】
【図８】
2004517414.tif 000006
【手続補正１５】
【補正対象書類名】図面
【補正対象項目名】図９
【補正方法】変更
【補正の内容】
【図９】
2004517414.tif 000007